(57)【要約】【課題】  焦点距離の切替が可能で、かつ小型・薄型化が可能なレンズモジュールを提供する。【解決手段】  本発明に係るレンズモジュールは、固定のセンサホルダ１と、使用するレンズに応じて移動可能なレンズベース２とを備える。センサホルダ１は、CCDやCMOSセンサ等からなるイメージセンサ３を有し、レンズベース２は、WIDEレンズ枠７を保持するWIDEレンズホルダ８と、TELEレンズ枠１０を保持するTELEレンズホルダ１１と、第２ミラー１２と、シャッタ１３とを有する。レンズベース２は、イメージセンサ３の撮像面に略平行な方向に移動可能である。第１および第２ミラー１２にて被写体光の角度を変えて光路長を長くするため、光軸方向の厚みを十分に薄くでき、薄型化を実現できる。【選択図】  図１
2005215160.tif 000002
【特許請求の範囲】
【請求項１】
それぞれが異なる焦点距離を持つ複数のレンズユニットと、
前記複数のレンズユニットの中から選択されたレンズユニットを通過した被写体光を同一の撮像面に結像させて光電変換を行う撮像装置と、
前記複数のレンズユニットそれぞれの被写体側レンズ先端面が撮影時に略同じ位置に配置されるように前記複数のレンズユニットを収納するレンズベースと、を備え、
前記複数のレンズユニットそれぞれの光路切替は前記レンズベース全体を移動して行うことを特徴とする撮影レンズモジュール。
【請求項２】
前記複数のレンズユニットは、
前記撮像面に略直交する方向のみに光軸が設けられる第１レンズユニットと、
前記撮像面に略直交する方向および略平行な方向に光軸が設けられる第２レンズユニットと、を有することを特徴とする請求項１に記載の撮影レンズユニット。
【請求項３】
前記複数のレンズユニットを通過した被写体光が前記撮像面に結像されるように、被写体光の光路を選択的に切り替える光路切替手段を備え、
前記第２レンズユニットは、光軸の方向を切り替える２枚のミラーを有するクランク光軸光学系を有し、
前記光路切替手段は、前記２枚のミラー間の光軸に沿ってレンズベースを移動させることにより、前記複数のレンズユニットにおけるそれぞれの光路切替を行うことを特徴とする請求項２記載の撮影レンズモジュール。
【請求項４】
前記レンズベースの移動量は、前記レンズベースの移動方向における前記撮像面の長さより大きく、該長さの1.5倍より小さい範囲であることを特徴とする請求項３記載の撮影レンズモジュール。
【請求項５】
前記レンズベースの移動量は、前記２枚のミラーの間隔より短いことを特徴とする請求項３または４に記載の撮影レンズモジュール。
【請求項６】
前記撮像装置を収納し固定されるセンサーホルダを備え、
前記２枚のミラーは前記撮像面と前記第２レンズユニット内の撮影レンズとの間に配置され、前記撮像面に近い側のミラーはレンズベースとともに移動し、前記撮影レンズに近い側のミラーは前記センサーホルダに収納されることを特徴とする請求項３乃至５のいずれかに記載の撮影レンズモジュール。
【請求項７】
前記センサーホルダーは、前記レンズベースの移動を案内するガイド棒を有し、
前記レンズベースは、前記ガイド棒に懸下されて、前記ガイド棒に沿って移動することを特徴とする請求項６に記載のレンズモジュール。
【請求項８】
前記センサーホルダーに沿って前記レンズベースを移動させる切替機構を備え、
前記切替機構は、
駆動力を伝える切替アクチュエーターと、
前記切替アクチュエータにより直接又は間接に駆動される円盤状部材と、
前記レンズベースの筐体に形成されるカム溝と、
前記円盤状部材に形成されて前記カム溝に係合される駆動ピンと、を有し、
前記駆動ピンは、前記円盤状部材の回転により、前記レンズベースを前記ガイド棒に沿って移動させることを特徴とする請求項６または７に記載の撮影レンズモジュール。
【請求項９】
前記切替アクチュエーターは、前記センサーホルダー内の前記撮像面に近い側のミラーの略下方に配置されることを特徴とする請求項８記載の撮影レンズモジュール。
【請求項１０】
前記複数のレンズユニットに用いられシャッターボタンの押下に応答して前記撮像面への被写体光の入射を所定時間遮断するシャッター羽根と、
前記シャッター羽根を作動させる1つのアクチュエーターと、を備えることを特徴とする請求項１乃至９のいずれかに記載の撮影レンズモジュール。
【請求項１１】
請求項１乃至１０のいずれかに記載の撮影レンズモジュールを搭載したカメラ。
【請求項１２】
前記複数のレンズユニットは、短焦点レンズユニットと、長焦点レンズユニットとを有し、
ズーム量を設定するズーム量設定手段と、
前記ズーム量設定手段にて設定されたズーム量に基づいて、前記撮像装置による撮像データの拡大縮小をデジタル的に行うデジタルズーム処理手段と、
前記ズーム量設定手段にて設定されたズーム量が前記短焦点レンズユニットまたは前記長焦点レンズユニットの焦点距離に該当する場合には、前記デジタルズーム処理手段による処理を行わないようにし、前記ズーム量設定手段が短焦点側から長焦点側にズーム量を切り替える場合には、該ズーム量が前記長焦点レンズユニットの焦点距離に該当するまでは、前記短焦点レンズユニットを用いて前記デジタルズーム処理手段による処理を行い、該ズーム量が前記長焦点レンズユニットの焦点距離を超えた場合は、前記長焦点レンズユニットを用いて前記デジタルズーム処理手段による処理を行うハイブリッド処理手段と、をさらに備えることを特徴とする請求項１１に記載のカメラ。
【発明の詳細な説明】
【技術分野】
【０００１】
本発明は、２焦点切替方式のレンズモジュールに関し、特に、携帯電話やデジタルカメラなどの薄型の電子機器に内蔵可能なレンズモジュールを対象とする。
【背景技術】
【０００２】
近年、100万画素を超える撮像装置を内蔵した携帯電話や薄型のデジタルカメラが急速に普及してきた。携帯電話は、服のポケットや鞄に収納可能なサイズおよび薄さであることが要求される。また、最近では、表示画面の大型化と操作性の向上などの理由で、折り畳み式の携帯電話が主流になってきた。折り畳み式の携帯電話は、厚さに対する制約が特に厳しく、撮像装置に許容される厚みは最大でも10mm程度である。
【０００３】
撮像装置は、撮影レンズと、CCDやCMOSセンサ等のイメージセンサとを有するが、撮影レンズからイメージセンサまでの光軸方向の距離を短くするのは容易ではない。光軸方向の距離は、撮影レンズの焦点距離とイメージセンサの厚みによって決まるが、イメージセンサの撮像面のサイズ（約1/3〜1/2インチ）に対して撮影レンズの焦点距離を極端に短くすると、像倍率が小さくなりすぎてしまい、一般のユーザが意図するような画像の撮影には不向きである（非特許文献１参照）。
【０００４】
また、イメージセンサの解像度が高くなるにつれて、一般にイメージセンサのサイズも大きくなる。その理由は、イメージセンサのサイズを変えずに解像度だけ高くすると、画素サイズが小さくなり、撮像データが容易に飽和して、撮像画像の画質が劣化するためである。
【非特許文献１】http://www.zdnet.co.jp/bobile/0304/14の記事
【発明の開示】
【発明が解決しようとする課題】
【０００５】
図９はイメージセンサのサイズと撮影レンズの画角との関係を示す図である。解像度が高く、撮像領域のサイズの大きなイメージセンサほど、焦点距離が長くなることがわかる。すなわち、高解像度でサイズの大きなイメージセンサを使用すると、イメージセンサと撮影レンズとの距離を長くする必要がある。
【０００６】
また、イメージセンサの厚みには、センサチップ自体の厚み以外に、保護ガラスやチップのパッケージの厚みも含まれるため、その薄型化には物理的な限界がある。
【０００７】
以上の理由により、100万画素を超える撮像装置を携帯電話に搭載すると、携帯電話のデザイン自体が撮像装置の厚みの影響を受け、携帯性も損なわれてしまう。ましてや、光学的なズームレンズを採用すると、広角側から望遠側まで焦点距離を可変にする必要があることから、撮像装置の厚みがさらに厚くなり、薄型化がさらに困難になる。このような事情から、100万画素を超える撮像装置を搭載した携帯電話で、光学的なズーム機能を備えたものは現存しない。
【０００８】
本発明は、上記の課題を解決するためになされたものであり、その目的は、焦点距離の切替が可能で、かつ小型・薄型化が可能なレンズモジュールを提供することにある。
【課題を解決するための手段】
【０００９】
上記の課題を解決するために、本発明は、それぞれが異なる焦点距離を持つ複数のレンズユニットと、前記複数のレンズユニットの中から選択されたレンズユニットを通過した被写体光を同一の撮像面に結像させて光電変換を行う撮像装置と、前記複数のレンズユニットそれぞれの被写体側レンズ先端面が撮影時に略同じ位置に配置されるように前記複数のレンズユニットを収納するレンズベースと、を備え、前記複数のレンズユニットそれぞれの光路切替は前記レンズベース全体を移動して行う。
【発明の効果】
【００１０】
本発明によれば、光軸方向の距離を広げることなく、焦点距離が異なる複数のレンズユニットを備えた２焦点レンズモジュールを実現できる。また、複数のレンズユニットの被写体側先端面が撮影時に略同じ位置に配置されるようにしたため、例えば携帯電話等に組み込んだときに、長焦点側レンズユニットが筐体から突き出なくなり、携帯性を損なうおそれもなくなる。また、レンズユニットを意識することなく携帯電話等のデザインを行うことができる。さらに、前面にシャッタやフィルタを装着することも容易になる。また、本発明のレンズモジュールは、ズームレンズを採用した場合に比べて、はるかに薄型にでき、また、構造が簡易なため、コスト削減および保守性・信頼性向上が図れる。
【発明を実施するための最良の形態】
【００１１】
以下、図面を参照しながら、本発明の一実施形態について説明する。
【００１２】
（第１の実施形態）
図１および図２は本発明の一実施形態に係るレンズモジュールの概要を説明する断面図である。本実施形態のレンズモジュールは、広角側レンズ（以下、WIDEレンズ）と望遠側レンズ（以下、TELEレンズ）を切り替えて使用可能な２焦点切替方式を採用している。
【００１３】
図１はTELEレンズを用いて撮像を行う場合におけるレンズモジュールの断面図、図２はWIDEレンズを用いて撮像を行う場合におけるレンズモジュールの断面図を示している。
【００１４】
図１の場合も、図２の場合も、イメージセンサの設置位置は同じであり、イメージセンサに入射される光軸も共通である。すなわち、本実施形態では、WIDEレンズとTELEレンズが同じ光軸を利用する。
【００１５】
図１および図２に示すように、本実施形態のレンズモジュールは、大きく分けて、常に固定のセンサホルダ１と、使用するレンズに応じて移動可能なレンズベース２とを備えている。レンズベース２は被写体側に配置され、センサホルダ１は撮影者側に配置される。
【００１６】
センサホルダ１は、CCDやCMOSセンサ等からなるイメージセンサ３を有する。このイメージセンサ３は、100万画素を超えるような高解像度のものを想定しているが、特に解像度に制限はない。
【００１７】
イメージセンサ３の撮像面の上面には、保護用の保護ガラス４が取り付けられている。イメージセンサ３の斜め上方には、第１ミラー５が設けられている。この第１ミラー５は、センサホルダ１内に設けられ、TELEレンズを使用する場合のみ用いられる。センサホルダ１は常に固定であるため、第１ミラー５も移動しない。ただし、第１ミラー５をレンズベース２に設けることも可能であり、この場合は第１ミラー５も移動する。
【００１８】
レンズベース２は、WIDEレンズ６と、WIDEレンズ枠７と、WIDEレンズ枠７を保持するWIDEレンズホルダ８と、TELEレンズ９と、TELEレンズ枠１０と、TELEレンズ枠１０を保持するTELEレンズホルダ１１と、第２ミラー１２と、シャッタ１３とを有する。レンズベース２は、イメージセンサ３の撮像面に略平行な方向に移動可能であり、TELEレンズ９を使用するときは図１の位置に移動し、WIDEレンズ６を使用する場合は図２の位置に移動する。
【００１９】
TELEレンズ９を使用する場合は、図１に示すように、TELEレンズ９を通過した被写体光は、第１ミラー５で反射されて、第２ミラー１２に導かれ、第２ミラー１２で反射された後に、イメージセンサ３に入射される。
【００２０】
一方、WIDEレンズ６を使用する場合は、図２に示すように、被写体光は第１ミラー５および第２ミラー１２を通過せずに直接、イメージセンサ３に入射される。すなわち、第１ミラー５および第２ミラー１２は、WIDEレンズ６使用時には用いられない。
【００２１】
このように、本実施形態では、被写体光を第１および第２ミラー１２に導くか否かにより、光路長を変えており、これにより、TELEレンズ９使用時の光路長を長くしている。第１ミラー５および第２ミラー１２により、イメージセンサ３の撮像面に略平行な方向に光路を設けることができ、光軸方向の長さを短くできる。
【００２２】
図３は本実施形態に係るレンズモジュールの平面図である。上述した図１および図２は、図３のＡ−Ａ’線断面図を示している。また、図４は図３のＢ−Ｂ’線断面図、図５は図３のＣ−Ｃ’線断面図である。さらに、図６は本実施形態の別の実施形態の外観図であり、図６（ａ）は上面から見た外観図、図６（ｂ）はＸ方向から見た外観図、図６（ｃ）はＹ方向から見た外観図である。なお、レンズモジュールは図６のＹ方向に移動する。
【００２３】
まず、レンズベース２の移動機構について説明する。レンズベース２の対向する２辺には、センサホルダ１の対向する２辺に沿って設けられるガイド棒２１，２２を嵌挿するための孔２３，２４が形成されている。これらの孔２３，２４にセンサホルダ１のガイド棒２１，２２を嵌挿することにより、レンズベース２はセンサホルダ１に懸下されるとともに、ガイド棒２１，２２に沿って移動可能になる。
【００２４】
レンズベース２の移動は、切替機構と切替アクチュエータ２５により制御される。この切替アクチュエータ２５は、不図示のWIDE/TELEボタンをユーザが操作したときに動作する。WIDE/TELEボタンは専用のボタンである必要はなく、携帯電話等に用いられるモード設定ボタンを流用してもよい。
【００２５】
切替アクチュエータ２５は、WIDE/TELEボタンの操作による電気信号を機械信号に変換する。すなわち、切替アクチュエータ２５は、切替アクチュエータギア２６を介して減速ギア２７を回転させる。減速ギア２７は、円盤２８と係合しているため、円盤２８も回転する。円盤２８には、カム溝２９に係合される駆動ピン３０が形成されている。円盤２８が回転すると、それに応じて駆動ピン３０も移動し、カム溝２９が図３の左右方向（イメージセンサ３の撮像面方向）に移動する。このカム溝２９は、図４に示すように、レンズベース２の一部に形成されているため、駆動ピン３０の移動に合わせて、レンズベース２全体がガイド棒２１，２２に沿って図３の左右方向、すなわちイメージセンサ３の撮像面に略平行に移動する。
【００２６】
なお、本実施形態のように、レンズベース２全体を移動させる場合、レンズベース２の動きは直線的であるため、レンズベース２の重量が重くなるほど、停止時の音と衝撃が無視できなくなる。切替速度を落とさずにこの問題を解決するには、レンズベース２の移動速度がサインカーブで変化するような切替速度で制御するのが望ましい。その際、減速ギア２７のような減速機構を組み合わせれば、より静音化と衝撃防止が図れる。
【００２７】
レンズベースの移動量を決定するための条件には２つあり、その一つは移動量を大きくするほどレンズモジュール全体のサイズが大きくなることであり、もう一つは移動量を小さくすると、TELEレンズ９の使用時にWIDEレンズ６側から光漏れを起こすおそれがあることである。
【００２８】
本発明者が試行錯誤した結果、レンズベースの移動量を、撮像面の長さより大きく、かつその長さの1.5倍以内にするのが望ましいことがわかった。この範囲内がWIDEレンズ６からの光漏れに対するセーフティゾーンであると考えられる。
【００２９】
次に、WIDEレンズ６とTELEレンズ９の自動焦点機構について説明する。図４はTELEレンズ９側の断面構造を示しているが、TELEレンズホルダ１１の撮像面側には、円盤状のフェイスカム３１が設けられている。TELEレンズホルダ１１は、押さえバネ３２により、フェイスカム３１に圧接されている。フェイスカム３１は、TELEアクチュエータギア３３に係合しており、TELEアクチュエータギア３３はTELEアクチュエータ３４により回転駆動される。
【００３０】
フェイスカム３１のTELEレンズホルダ１１との接触面には段差が設けられている。TELEアクチュエータ３４がTELEアクチュエータギア３３を回転させると、フェイスカム３１も回転し、フェイスカム３１の段差により、TELEレンズホルダ１１は、光軸方向に移動して焦点調節が行われる。
【００３１】
WIDEレンズ６側の図４に対応する断面図は省略しているが、図４と同様の構造であり、WIDEレンズ６用のフェイスカムにより、WIDEアクチュエータ３５が光軸方向に移動して焦点調節が行われる。
【００３２】
なお、WIDEレンズ６とTELEレンズ９を一つのアクチュエータで駆動してもよい。図７はWIDEアクチュエータとTELEアクチュエータ３４を共通化した場合の平面図である。図７のアクチュエータは、アクチュエータギア３６に係合された扇形のギア３７，３８を介して、WIDEアクチュエータギア３９とTELEアクチュエータギア３３を回転駆動する。
【００３３】
図７の場合、WIDEレンズ６とTELEレンズ９のどちらを使用する場合でも、両レンズとも光軸方向に移動するが、撮影上は特に支障ない。図７のような構造にすることにより、アクチュエータの数を削減でき、コスト削減と小型化が図れる。
【００３４】
本実施形態では、図１に示すように、WIDEレンズ６を保持するWIDEレンズホルダ８と、TELEレンズ９を保持するTELEレンズホルダ１１の被写体側先端が略面一になるように配置している。これにより、WIDEレンズ６やTELEレンズ９がレンズモジュール全面から突き出さなくなり、携帯電話などに要求される過酷な落下試験にも十分に耐えうるような構造が得られる。また、全面からレンズが突き出さなくなることで、携帯電話等のデザインを損ねるおそれもなくなる。
【００３５】
次に、シャッタ１３の機構について説明する。本実施形態のシャッタ１３は、図３に示すように、矩形状をしており、通常は、光軸を閉じない位置に配置される。このシャッタ１３は、ユーザが不図示のシャッタボタンを押した直後に、１８０度回転する。これにより、シャッタボタンを押した直後に、１回だけ、イメージセンサ３の撮像面に入射される被写体光が遮断される。これにより、撮像直後にノイズ光がイメージセンサ３に入り込まなくなり、撮像画像の画質向上が図れる。
【００３６】
より詳しく説明すると、矩形状のシャッタ１３の軸にはシャッタギア４０が取り付けられ、このシャッタギア４０にはアイドルギア４１が係合され、このアイドルギア４１にはシャッタアクチュエータギア４２が係合されている。このシャッタアクチュエータギア４２は、シャッタアクチュエータ４３により回転駆動される。シャッタ１３は、ユーザが不図示のシャッタボタンを押すと、１８０度だけ高速に回転する。これにより、シャッタ１３が通過する間、イメージセンサ３には、被写体光が入射されなくなり、イメージセンサ３の撮像データにノイズ光成分が含まれなくなる。
【００３７】
上述したレンズモジュールは、可能な限り、小型および薄型にする必要があり、各部材のレイアウトに工夫が必要である。図１〜図５に示したレンズモジュール内の構造は一例であり、部材の配置は必要に応じて変更してもよい。スペースを有効に利用する観点から考察すると、図１および図２に示すように、レンズベース２を移動させる切替アクチュエータ２５をイメージセンサ３の横に配置するのが望ましい。
【００３８】
レンズベース２は、WIDE/TELEの切替を行うたびに移動するため、移動機構は耐久性に優れている必要がある。上述した実施形態のようにガイド棒２１，２２を用いる例はズームレンズ等で耐久性が立証済である。
【００３９】
ただし、レンズベース２をガイド棒２１，２２に沿って繰り返し移動させると、ガイド棒２１，２２付近からの塵がセンサホルダ１に入り込んで、イメージセンサ３の撮像面に付着するおそれがある。このため、本実施形態では、図４に示すように、ガイド棒２１，２２の斜め下方に、ガイド棒２１，２２に略平行に延びる防塵用溝５１を形成している。この防塵用溝５１は、レンズベース２がガイド棒２１，２２に沿って移動する際に発生される塵等を収集することができる。これにより、イメージセンサ３の撮像面に塵等が付着するおそれがなくなる。
【００４０】
このように、本実施形態では、焦点距離の異なるWIDEレンズホルダ８とTELEレンズホルダ１１の被写体外先端が略面一になるように配置するため、筐体からレンズが突き出なくなり、落下試験にも耐えることができるとともに、デザインを損ねるおそれもなくなる。
【００４１】
また、第１および第２ミラー１２にて被写体光の角度を変えて光路長を長くするため、光軸方向の厚みを十分に薄くでき、薄型化を実現できる。
【００４２】
上述した実施形態では、軸を中心として180度回転する矩形状のシャッタ１３を設ける例を説明したが、シャッタ１３の形態は特に限定されず、銀塩カメラ等で汎用的に用いられる個別のシャッタを用いてもよい。図８は個別のシャッタ１３’の一例を示す図である。シャッタ１３’を構成する２枚の羽部材５２，５３の一方はWIDEレンズ用であり、他方はTELEレンズ用である。これら羽部材５２，５３は、通常は、図８に示すように、両レンズの光軸を覆わない位置に待避されている。これら羽部材５２，５３にはカム溝５４，５５が形成されており、これらカム溝には、駆動ピン５６，５７が係合されている。これら駆動ピン５６，５７は円盤５８に一体に形成されており、この円盤５８は、図８では不図示のシャッタアクチュエータにより回転駆動される。
【００４３】
ユーザがシャッタボタンを押下すると、その直後に、シャッタアクチュエータは、円盤を反時計回りに６０度だけ回転させた後、すぐに時計回りに６０度だけ回転させる。これにより、羽部材５２，５３は、短時間だけ、両レンズ６，９の光軸を覆う。すなわち、イメージセンサでの撮像が短時間だけ中断される。
【００４４】
図８のようなその他の型のシャッタ１３’を用いる場合でも、一つのアクチュエータだけでシャッタ１３’を駆動できるため、小型化が可能となる。本発明に係るレンズモジュールに、上述した種々のタイプのシャッタ機構を組み込むことができるのは、WIDEレンズ６とTELEレンズ９の被写体側先端部を揃えたことによる効果である。
【００４５】
上述した実施形態では、WIDEレンズ６とTELEレンズ９を設ける例を説明したが、標準レンズを設けてもよい。すなわち、本発明は、焦点距離の異なる２以上のレンズを設ける場合に広く適用可能である。
【００４６】
上述したレンズモジュールは、カメラ付きの携帯電話やデジタルカメラなどの携帯機器に組み込むことが可能である。
【００４７】
カメラを内蔵する各種の携帯機器には、大抵の場合、デジタルズーム機能が設けられている。ところが、デジタルズームは、光学ズームに比べると、画質が劣っており、ズーム倍率を上げるほど、画質が悪くなる。このような事情から、デジタルカメラ等では、光学ズームとデジタルズームを併用している。ただし、小型化を実現するために、光学ズームは３倍程度に限られており、それ以上のズームはデジタルズームで行うことが多い。
【００４８】
本実施形態のレンズモジュールを組み込んだ携帯機器においても、光学ズームとデジタルズームを併用することができる。本実施形態のレンズモジュールは、焦点距離の異なる２種類のレンズを備えているため、光学ズームが可能なズーム量は、２カ所である。それ以外のズーム量をユーザが設定した場合、デジタルズームを行う。
【００４９】
例えば、ユーザが、WIDEレンズ６の焦点距離に対応するズーム量を設定して、徐々にズーム量を大きくする場合について説明する。この場合、最初は、WIDEレンズ６を用いて光学ズームが行われ、その後、TELEレンズ９の焦点距離に対応するズーム量になるまでは、WIDEレンズ６を用いて撮像したデータに対してデジタルズームを行う。TELEレンズ９の焦点距離に対応するズーム量になると、いったんデジタルズームを中断して、その直前の撮像データを表示させておき、レンズベース２によりTELEレンズ９に切り替えて、光学ズームを行う。それ以上にズーム量を大きくすると、TELEレンズ９を用いて撮像したデータに対してデジタルズームを行う。逆に、ズーム量を徐々に小さくする場合も同様の動作が行われる。
【００５０】
このように、本実施形態のレンズモジュールをカメラ等の携帯機器に組み込むと、通常のデジタルカメラと同様に、光学ズームとデジタルズームを組み合わせたシームレスなズーム機能を行うハイブリッドズームカメラを実現できる。
【図面の簡単な説明】
【００５１】
【図１】TELEレンズを用いて撮像を行う場合におけるレンズモジュールの断面図。
【図２】WIDEレンズを用いて撮像を行う場合におけるレンズモジュールの断面図。
【図３】本実施形態に係るレンズモジュールの平面図。
【図４】図３のＢ−Ｂ’線断面図。
【図５】図３のＣ−Ｃ’線断面図。
【図６】本実施形態の外観図。
【図７】WIDEアクチュエータとTELEアクチュエータ３４を共通化した場合の平面図。
【図８】フォーカルプレーン型のシャッタ１３’の一例を示す図。
【図９】イメージセンサのサイズと撮影レンズの画角との関係を示す図。
【符号の説明】
【００５２】
１  センサホルダ
２  レンズベース
３  イメージセンサ
４  保護ガラス
５  第１ミラー
６  WIDEレンズ
７  WIDEレンズ枠
８  WIDEレンズホルダ
９  TELEレンズ
１０  TELEレンズ枠
１１  TELEレンズホルダ
１２  第２ミラー
１３  シャッタ
２１，２２  ガイド棒
２３，２４  孔
２５  切替アクチュエータ
２６  切替アクチュエータギア
２７  減速ギア
２８  円盤
２９  カム溝
３０  駆動ピン
３１  フェイスカム
３２  押さえバネ
３３  TELEアクチュエータギア
３４  TELEアクチュエータ
３５  WIDEアクチュエータ
３６  アクチュエータギア
３７，３８  ギア
４０  シャッタギア
４１  アイドルギア
４２  シャッタアクチュエータギア
５１  防塵用溝
５２，５３  羽部材
５４，５５  カム溝
５６，５７  駆動ピン
５８  円盤
【図１】
2005215160.tif 000003
【図２】
2005215160.tif 000004
【図３】
2005215160.tif 000005
【図４】
2005215160.tif 000006
【図５】
2005215160.tif 000007
【図６】
2005215160.tif 000008
【図７】
2005215160.tif 000009
【図８】
2005215160.tif 000010
【図９】
2005215160.tif 000011